(57)【要約】【課題】主に各種電子機器の操作に使用される導光シート及びこれを用いた可動接点体に関し、光の混合や漏れを防ぎ、多様な照光が可能なものを提供することを目的とする。【解決手段】複数の発光部２２の間に形成された略帯状の窪溝部２１Ａや２１Ｂに、暗色の光吸収部２３Ａや２３Ｂを形成することによって、窪溝部２１Ａや２１Ｂに出射した光が、暗色の光吸収部２３Ａや２３Ｂによって吸収され、他の発光部２２への光の混合や漏れを防ぐことができるため、見易く多様な照光が可能な導光シート２４、及びこれを用いた可動接点体２８を得ることができる。【選択図】図１
2010153361.tif 000002
【特許請求の範囲】
【請求項１】
フィルム状の基材と、この基材に形成された凹凸状の複数の発光部と、上記発光部の間に形成された略帯状の窪溝部または切欠部からなり、上記窪溝部または切欠部に暗色の光吸収部を形成した導光シート。
【請求項２】
請求項１記載の導光シートの発光部下面に、略ドーム状で導電金属薄板製の可動接点を装着した可動接点体。
【発明の詳細な説明】
【技術分野】
【０００１】
本発明は、主に各種電子機器の操作に使用される導光シート及びこれを用いた可動接点体に関するものである。
【背景技術】
【０００２】
近年、各種電子機器、特に携帯電話等の携帯端末機器においては、周囲が暗い場合でも、押釦や表示シート等の識別や操作が容易に行えるように、発光ダイオードやＥＬ素子等を発光させて操作部の照光を行うものが増えており、これらの機器に用いられる可動接点体やスイッチにも、使い易く多様な照光を行えるものが求められている。
【０００３】
このような従来の導光シートや可動接点体について、図１３及び図１４を用いて説明する。
【０００４】
なお、これらの図面は構成を判り易くするために、部分的に寸法を拡大して表している。
【０００５】
図１３は従来のスイッチの断面図、図１４は同平面図であり、同図において、１は光透過性でフィルム状の基材で、この基材１下面の所定箇所には、凹凸状の複数の発光部２が設けられている。
【０００６】
そして、こられの発光部２の間には、例えば、発光部２Ａと２Ｂ、２Ｃの間には、上下方向に貫通した略帯状で略コの字状の切欠部１Ａが、発光部２Ｃと２Ｄの間には略帯状で略Ｌ字状の切欠部１Ｂが、各々設けられて導光シート３が形成されている。
【０００７】
また、４は光透過性でフィルム状のベースシート、５は略ドーム状で導電金属薄板製の可動接点で、ベースシート４外周の所定箇所が、接着剤（図示せず）によって導光シート３下面に貼付されると共に、複数の可動接点５が発光部２下方のベースシート４下面に貼付されて、可動接点体６が構成されている。
【０００８】
さらに、７は上下面に複数の配線パターン（図示せず）が形成された配線基板で、上面には略円形状の中央固定接点８Ａと、これを囲む略馬蹄状または略リング状の外側固定接点８Ｂから形成された、複数の固定接点８が設けられている。
【０００９】
そして、この配線基板７上面に可動接点体６が、各々の可動接点５の外周が外側固定接点８Ｂ上に載置され、可動接点５の下面中央が中央固定接点８Ａと所定の間隙を空けて、対向するように貼付されている。
【００１０】
また、９は発光ダイオード等の発光素子で、複数の発光素子９Ａや９Ｂが導光シート３側方の配線基板７上面に実装され、基材１の端面に発光面を向けて配置されている。
【００１１】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート３の発光部２上方に配置されて、スイッチが構成されている。
【００１２】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００１３】
以上の構成において、表示シート１０の所定の表示部１０Ｂを下方へ押圧操作すると、導光シート３やベースシート４が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００１４】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００１５】
そして、このような固定接点８の電気的接離に応じて、機器の各機能の切換えが行われると共に、機器の電子回路から発光素子９に電源が供給されると、複数の発光素子９Ａや９Ｂが発光し、この光が端面から導光シート３内に入射して、基材１内を反射しながら内方へ進む。
【００１６】
さらに、この光が基材１下面の複数の発光部２Ａや２Ｂ、２Ｃ、２Ｄ等で拡散され反射して、これらの上方の表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００１７】
つまり、表示シート１０を押圧操作することによって導光シート３上面を押圧し、可動接点５を弾性反転させて固定接点８の電気的接離を行うと共に、発光素子９の光を端面から導光シート３内に導入し、複数の発光部２を発光させることによって、表示シート１０の複数の表示部１０Ｂを照光するように構成されている。
【００１８】
また、複数の発光部２の間に形成された切欠部１Ａや１Ｂによって、例えば、発光素子９Ａと９Ｂの発光色が異なる場合や、発光部２Ａの箇所は消灯し、他の発光部２Ｂや２Ｃ、２Ｄは点灯させた場合等に、切欠部１Ａや１Ｂによって光が遮断されるように形成されている。
【００１９】
すなわち、切欠部１Ａや１Ｂを設けることで、発光色の異なる光が導光シート３内で混合され、複数の発光部２が混ざった発光色で照光されることや、消灯しているはずの発光部２Ａが他の箇所を照光している光によって、うっすらとではあるが照光されることのないように構成されているものであった。
【００２０】
なお、この出願の発明に関連する先行技術文献情報としては、例えば、特許文献１が知られている。
【先行技術文献】
【特許文献】
【００２１】
【特許文献１】特開２００７−８７７４９号公報
【発明の概要】
【発明が解決しようとする課題】
【００２２】
しかしながら、上記従来の可動接点体６やスイッチにおいては、所定の発光部２の間に、光を遮断するための切欠部１Ａや１Ｂが設けられてはいるが、これらの切欠部１Ａや１Ｂは空隙であり、この端面から出射した光が空隙を通った後、対向する端面から再び導光シート３内に入射することを完全に防ぐことは困難であるため、発光素子９を増やし明るく照光すればするほど、光の混合や漏れが生じ易くなってしまうという課題があった。
【００２３】
本発明は、このような従来の課題を解決するものであり、光の混合や漏れを防ぎ、多様な照光が可能な導光シート及びこれを用いた可動接点体を提供することを目的とする。
【課題を解決するための手段】
【００２４】
上記目的を達成するために本発明は、以下の構成を有するものである。
【００２５】
本発明の請求項１に記載の発明は、凹凸状の複数の発光部の間に形成された略帯状の窪溝部または切欠部に、暗色の光吸収部を形成して導光シートを構成したものであり、窪溝部や切欠部に出射した光が暗色の光吸収部によって吸収され、他の発光部への光の混合や漏れを防ぐことができるため、見易く多様な照光が可能な導光シートを得ることができるという作用を有する。
【００２６】
請求項２に記載の発明は、請求項１記載の導光シートの発光部下面に、略ドーム状で導電金属薄板製の可動接点を装着して可動接点体を構成したものであり、光の混合や漏れを防ぎ、多様な照光が可能なスイッチを実現することができるという作用を有する。
【発明の効果】
【００２７】
以上のように本発明によれば、光の混合や漏れを防ぎ、多様な照光が可能な導光シート及びこれを用いた可動接点体を実現することができるという有利な効果が得られる。
【図面の簡単な説明】
【００２８】
【図１】本発明の第１の実施の形態による可動接点体の断面図
【図２】同平面図
【図３】同断面図
【図４】同スイッチの断面図
【図５】本発明の第２の実施の形態による可動接点体の断面図
【図６】同平面図
【図７】同断面図
【図８】同スイッチの断面図
【図９】本発明の第３の実施の形態による可動接点体の断面図
【図１０】同平面図
【図１１】同断面図
【図１２】同スイッチの断面図
【図１３】従来のスイッチの断面図
【図１４】同平面図
【発明を実施するための形態】
【００２９】
以下、本発明の実施の形態について、図１〜図１２を用いて説明する。
【００３０】
なお、これらの図面は構成を判り易くするために、部分的に寸法を拡大して表している。
【００３１】
また、背景技術の項で説明した構成と同一構成の部分には同一符号を付して、詳細な説明を簡略化する。
【００３２】
（実施の形態１）
実施の形態１を用いて、本発明の特に請求項１及び２記載の発明について説明する。
【００３３】
図１は本発明の第１の実施の形態による可動接点体の断面図、図２は同平面図であり、同図において、２１はフィルム状でポリウレタンやシリコーン、スチレン等の可撓性を有する光透過性の基材で、この基材２１下面の所定箇所には、凹凸状でポリエステルやエポキシ等の白色や乳白色等の複数の発光部２２が、印刷等によってドット状に形成されている。
【００３４】
そして、これらの発光部２２の間には、例えば、発光部２２Ａと２２Ｂ、２２Ｃの間には略帯状で略コの字状の窪溝部２１Ａが、発光部２２Ｃと２２Ｄの間には略帯状で略Ｌ字状の窪溝部２１Ｂが各々設けられると共に、この窪溝部２１Ａや２１Ｂにはカーボン等を分散したポリエステルやエポキシ等の、暗色の光吸収部２３Ａや２３Ｂが形成されて、導光シート２４が構成されている。
【００３５】
また、２５は同じくフィルム状のベースシート、５は略ドーム状で銅合金や鋼等の導電金属薄板製の可動接点で、ベースシート２５外周の所定箇所が、アクリルやシリコーン等の接着剤２６によって、導光シート２４下面に貼付されると共に、複数の可動接点５が発光部２２下方のベースシート２５下面に貼付されている。
【００３６】
さらに、２７はポリエチレンテレフタレート等のフィルム状のセパレータで、このセパレータ２７がベースシート２５下面全面を覆うように貼付され、保管・搬送時に可動接点５下面に塵埃等が付着しないようにして、可動接点体２８が構成されている。
【００３７】
なお、このような可動接点体２８を製作する際には、図３（ａ）の断面図に示すように、先ず、厚さ２００μｍ前後の平坦なフィルム状の基材２１上面に、凹凸状の複数の発光部２２、例えば発光部２２Ａや２２Ｂと、厚さ１０〜２０μｍ前後の暗色の光吸収部２３Ａを、印刷等によって形成する。
【００３８】
そして、この後、図３（ｂ）に示すように、上方からポンチ３０によって光吸収部２３Ａを１００〜１８０℃前後、好ましくは１２０〜１６０℃前後の温度で、３〜１０秒前後加熱加圧して、図３（ｃ）に示すような、光吸収部２３Ａに覆われた深さ１００〜１５０μｍ前後の窪溝部２１Ａを、基材２１上面の発光部２２Ａと２２Ｂの間に形成して導光シート２４を製作する。
【００３９】
さらに、この導光シート２４を上下逆に反転した後、複数の可動接点５が下面に貼付されたベースシート２５やセパレータ２７を、基材２１下面に重ねて貼付して、図１に示したような可動接点体２８が完成する。
【００４０】
また、図４はこのような可動接点体２８を用いたスイッチの断面図であり、同図において、７はポリエチレンテレフタレートやポリカーボネート等のフィルム状、または紙フェノールやガラス入りエポキシ等の板状の配線基板で、上下面に銅等によって複数の配線パターン（図示せず）が形成されると共に、上面には銅やカーボン等によって、略円形状の中央固定接点８Ａと、これを囲む略馬蹄状または略リング状の外側固定接点８Ｂから形成された、複数の固定接点８が設けられている。
【００４１】
そして、この配線基板７上面にセパレータ２７を剥離した可動接点体２８が、各々の可動接点５の外周が外側固定接点８Ｂ上に載置され、可動接点５の下面中央が中央固定接点８Ａと所定の間隙を空けて、対向するように貼付されている。
【００４２】
また、９は発光ダイオード等の発光素子で、複数の発光素子９が導光シート２４側方の配線基板７上面に実装され、例えば図２に示すように、発光素子９Ａが発光部２２Ａの上側方、発光素子９Ｂが発光部２２Ｂや２２Ｄの右側方に、基材２１端面に発光面を向けて配置されている。
【００４３】
さらに、１０は光透過性でフィルム状の表示シートで、下面に印刷等によって形成された遮光部１０Ａの所定箇所が、文字や記号等の形状にくり抜かれて複数の表示部１０Ｂが形成され、この表示部１０Ｂが導光シート２４の発光部２２上方に配置されて、スイッチが構成されている。
【００４４】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００４５】
以上の構成において、表示シート１０の所定の表示部１０Ｂを下方へ押圧操作すると、導光シート２４やベースシート２５が撓んで可動接点５の略ドーム状の中央部が押圧され、所定の押圧力が加わると、可動接点５がクリック感を伴って下方へ弾性反転し、可動接点５の下面中央が中央固定接点８Ａに接触することによって、中央固定接点８Ａと外側固定接点８Ｂが、可動接点５を介して電気的に接続された状態となる。
【００４６】
また、表示シート１０への押圧力を解除すると、弾性復帰力によって可動接点５が上方へ弾性反転し、可動接点５の下面中央が中央固定接点８Ａから離れて、中央固定接点８Ａと外側固定接点８Ｂが電気的に切断された状態となる。
【００４７】
そして、このような固定接点８の電気的接離に応じて、機器の各機能の切換えが行われると共に、機器の電子回路から発光素子９に電源が供給されると、複数の発光素子９Ａや９Ｂが発光し、この光が端面から導光シート２４内に入射して、基材２１内を反射しながら内方へ進む。
【００４８】
さらに、この光が基材２１下面の複数の発光部２２Ａや２２Ｂ、２２Ｃ、２２Ｄ等で拡散され反射して、これらの上方の表示シート１０の表示部１０Ｂを下方から照光し、複数の表示部１０Ｂが照光されることによって、周囲が暗い場合でも、表示部１０Ｂの文字や記号等の表示が識別でき、操作を容易に行うことが可能なようになっている。
【００４９】
つまり、表示シート１０を押圧操作することによって導光シート２４上面を押圧し、可動接点５を弾性反転させて固定接点８の電気的接離を行うと共に、発光素子９の光を端面から導光シート２４内に導入し、複数の発光部２２を発光させることによって、表示シート１０の複数の表示部１０Ｂを照光するように構成されている。
【００５０】
なお、このような照光を行う際、例えば図２において、発光素子９Ａの発光色が橙色、発光素子９Ｂの発光色が緑色であった場合には、発光素子９Ａの光が入射する発光部２２Ａは橙色に発光して、この上方の表示部１０Ｂは橙色に照光され、発光素子９Ｂの光が入射する発光部２２Ｂや２２Ｄは緑色に発光する。
【００５１】
そして、この時、発光部２２Ａと２２Ｂの間には略コの字状の窪溝部２１Ａが、発光部２２Ｃと２２Ｄの間には略Ｌ字状の窪溝部２１Ｂが各々設けられると共に、この窪溝部２１Ａや２１Ｂには暗色の光吸収部２３Ａや２３Ｂが形成されているため、この橙色の光と緑色の光が導光シート２４内で混合されることがないようになっている。
【００５２】
つまり、窪溝部２１Ａに出射した発光素子９Ａの橙色の光は暗色の光吸収部２３Ａで、窪溝部２１Ｂに出射した発光素子９Ｂの緑色の光は光吸収部２３Ｂで各々吸収され、発光素子９Ａの光が発光部２２Ｂや２２Ｃへ、発光素子９Ｂの光が発光部２２Ａや２２Ｃへは出射しないようになっているため、これら複数の発光部２２が各々、橙色と緑色の光が混ざった発光色で照光されることのないように構成されている。
【００５３】
また、例えば発光素子９Ａは消灯し、発光素子９Ｂのみが点灯している場合でも、発光素子９Ｂによって発光部２２Ｂと２２Ｄは発光するが、この光は光吸収部２３Ａや２３Ｂで吸収され遮断されるため、この発光素子９Ｂの光によって、消灯している発光部２２Ａが薄明るく発光することのないようになっている。
【００５４】
すなわち、複数の発光部２２の間の、略帯状の窪溝部２１Ａや２１Ｂに形成された光吸収部２３Ａや２３Ｂによって、窪溝部２１Ａや２１Ｂに出射した光は吸収されて遮断され、他の発光部２２へは入射しないため、複数の発光部２２の光の混合や漏れを防止し、見易く多様な照光が行えるように構成されている。
【００５５】
このように本実施の形態によれば、複数の発光部２２の間に形成された略帯状の窪溝部２１Ａや２１Ｂに、暗色の光吸収部２３Ａや２３Ｂを形成することによって、窪溝部２１Ａや２１Ｂに出射した光が、暗色の光吸収部２３Ａや２３Ｂによって吸収され、他の発光部２２への光の混合や漏れを防ぐことができるため、見易く多様な照光が可能な導光シート２４、及びこれを用いた可動接点体２８を得ることができるものである。
【００５６】
（実施の形態２）
実施の形態２を用いて、本発明の他の実施の形態について説明する。
【００５７】
なお、実施の形態１の構成と同一構成の部分には同一符号を付して、詳細な説明を省略する。
【００５８】
図５は本発明の第２の実施の形態による可動接点体の断面図、図６は同平面図であり、同図において、フィルム状で光透過性の基材２１下面の所定箇所に、凹凸状の複数の発光部２２が形成されていることは、実施の形態１の場合と同様である。
【００５９】
そして、これらの発光部２２の間には、例えば、発光部２２Ａと２２Ｂ、２２Ｃの間には、上下方向に貫通した略帯状で略コの字状の切欠部２１Ｃが、発光部２２Ｃと２２Ｄの間には略帯状で略Ｌ字状の切欠部２１Ｄが各々設けられると共に、この切欠部２１Ｃや２１Ｄには、カーボン等を分散したポリエステルやエポキシ等の暗色の光吸収部２３Ｃや２３Ｄが、切欠部２１Ｃや２１Ｄの端面を覆うように形成されて、導光シート２４Ａが構成されている。
【００６０】
なお、ベースシート２５外周の所定箇所が、接着剤２６によって導光シート２４Ａ下面に貼付されていることや、複数の可動接点５が発光部２２下方のベースシート２５下面に貼付されていることは実施の形態１の場合と同様であるが、光吸収部２３Ｃや２３Ｄ下面にはアクリルやシリコーン等の接着層３２が形成され、この接着層３２によって光吸収部２３Ｃや２３Ｄがベースシート２５上面に貼付されている。
【００６１】
さらに、このベースシート２５下面にはセパレータ２７が、ベースシート２５下面全面を覆うように貼付され、保管・搬送時に可動接点５下面に塵埃等が付着しないようにして、可動接点体２８Ａが構成されている。
【００６２】
なお、このような可動接点体２８Ａを製作する際には、図７（ａ）の断面図に示すように、先ず、フィルム状の基材２１下面に、印刷等によって凹凸状の複数の発光部２２、例えば発光部２２Ａや２２Ｂと、上下方向に貫通した切欠部２１Ｃを形成した後、これをベースシート２５上面に載置する。
【００６３】
また、この上方に粘着力、いわゆるタック性によって、ポリエチレンテレフタレート等のフィルム状の剥離シート３３下面に、微接着力で貼付された光吸収部２３Ｃを配置し、下方へ移動して、図７（ｂ）に示すように、下面に形成された接着層３２によって、光吸収部２３Ｃを切欠部２１Ｃ内のベースシート２５上面に貼付した後、剥離シート３３から光吸収部２３Ｃを剥離する。
【００６４】
なお、この時、光吸収部２３Ｃの幅寸法は、切欠部２１Ｃの幅寸法に対し少し小さく、例えば切欠部２１Ｃの幅寸法が０．５〜１．５ｍｍ前後であった場合には、光吸収部２３Ｃの幅寸法は０．３〜１ｍｍ前後に形成されている。
【００６５】
そして、この後、図７（ｃ）に示すように、上方からポンチ３４によって光吸収部２３Ｃを８０〜１５０℃前後、好ましくは１００〜１２０℃前後の温度で、２〜１５秒前後加熱加圧して、図７（ｄ）に示すような、押圧され切欠部２１Ｃ内に広がると共に、接着層３２によってベースシート２５上面に貼付された光吸収部２３Ｃを形成して、導光シート２４Ａを製作する。
【００６６】
さらに、この導光シート２４Ａのベースシート２５下面に、複数の可動接点５やセパレータ２７を重ねて貼付して、図５に示したような可動接点体２８Ａが完成する。
【００６７】
また、図８はこのような可動接点体２８Ａを用いたスイッチの断面図であり、同図において、複数の配線パターンが形成された配線基板７上面に、セパレータ２７を剥離した可動接点体２８Ａが、各々の可動接点５の外周が複数の固定接点８の外側固定接点８Ｂ上に載置されると共に、可動接点５の下面中央が中央固定接点８Ａと所定の間隙を空けて、対向するように貼付されていることは、実施の形態１の場合と同様である。
【００６８】
そして、複数の発光素子９が導光シート２４Ａ側方の配線基板７上面に実装され、例えば図６に示すように、発光素子９Ａが発光部２２Ａの上側方、発光素子９Ｂが発光部２２Ｂや２２Ｄの右側方に、基材２１端面に発光面を向けて各々配置されると共に、表示シート１０の遮光部１０Ａの所定箇所が文字や記号等の形状にくり抜かれた、複数の表示部１０Ｂが導光シート２４Ａの発光部２２上方に配置されて、スイッチが構成されている。
【００６９】
さらに、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００７０】
以上の構成において、表示シート１０の所定の表示部１０Ｂを下方へ押圧操作または押圧力を解除すると、導光シート２４Ａやベースシート２５が撓んで可動接点５の略ドーム状の中央部が押圧され、可動接点５が下方または上方へ弾性反転して、実施の形態１の場合と同様に、可動接点５を介した中央固定接点８Ａと外側固定接点８Ｂの電気的な接続または切断が行われ、これに応じて機器の各機能が切換えられる。
【００７１】
また、機器の電子回路から発光素子９に電源が供給されると、実施の形態１の場合と同様に、複数の発光素子９Ａや９Ｂが発光し、この光が端面から導光シート２４Ａ内に入射して、基材２１内を反射しながら内方へ進み、複数の発光部２２Ａや２２Ｂ、２２Ｃ、２２Ｄ等で拡散され反射して、これらの上方の表示シート１０の表示部１０Ｂを下方から照光することによって、周囲が暗い場合でも、表示部１０Ｂの文字や記号等の表示が識別でき、操作を容易に行うことが可能なようになっている。
【００７２】
なお、このような照光を行う際、例えば図６において、発光素子９Ａの発光色が橙色、発光素子９Ｂの発光色が緑色であった場合には、発光素子９Ａの光が入射する発光部２２Ａは橙色に発光して、この上方の表示部１０Ｂは橙色に照光され、発光素子９Ｂの光が入射する発光部２２Ｂや２２Ｄは緑色に発光する。
【００７３】
そして、この時、発光部２２Ａと２２Ｂの間には略コの字状の切欠部２１Ｃが、発光部２２Ｃと２２Ｄの間には略Ｌ字状の切欠部２１Ｄが各々設けられると共に、この切欠部２１Ｃや２１Ｄ内には暗色の光吸収部２３Ｃや２３Ｄが形成されているため、この橙色の光と緑色の光が導光シート２４Ａ内で混合されることがないようになっている。
【００７４】
つまり、切欠部２１Ｃに出射した発光素子９Ａの橙色の光は暗色の光吸収部２３Ｃで、切欠部２１Ｄに出射した発光素子９Ｂの緑色の光は光吸収部２３Ｄで各々吸収され、発光素子９Ａの光が発光部２２Ｂや２２Ｃへ、発光素子９Ｂの光が発光部２２Ａや２２Ｃへは出射しないようになっているため、これら複数の発光部２２が各々、橙色と緑色の光が混ざった発光色で照光されることのないように構成されている。
【００７５】
また、例えば発光素子９Ａは消灯し、発光素子９Ｂのみが点灯している場合でも、発光素子９Ｂによって発光部２２Ｂと２２Ｄは発光するが、この光は光吸収部２３Ｃや２３Ｄで吸収され遮断されるため、この発光素子９Ｂの光によって、消灯している発光部２２Ａが薄明るく発光することのないようになっている。
【００７６】
すなわち、複数の発光部２２の間の、略帯状の切欠部２１Ｃや２１Ｄ内に形成された光吸収部２３Ｃや２３Ｄによって、切欠部２１Ｃや２１Ｄに出射した光は吸収されて遮断され、他の発光部２２へは入射しないため、複数の発光部２２の光の混合や漏れを防止し、見易く多様な照光が行えるように構成されている。
【００７７】
このように本実施の形態によれば、複数の発光部２２の間に形成された略帯状の切欠部２１Ｃや２１Ｄに、暗色の光吸収部２３Ｃや２３Ｄを形成することによって、切欠部２１Ｃや２１Ｄに出射した光が、暗色の光吸収部２３Ｃや２３Ｄによって吸収され、他の発光部２２への光の混合や漏れを防ぐことができるため、見易く多様な照光が可能な導光シート２４Ａ、及びこれを用いた可動接点体２８Ａを得ることができるものである。
【００７８】
（実施の形態３）
実施の形態３を用いて、本発明の他の実施の形態について説明する。
【００７９】
なお、実施の形態１や２の構成と同一構成の部分には同一符号を付して、詳細な説明を省略する。
【００８０】
図９は本発明の第３の実施の形態による可動接点体の断面図、図１０は同平面図であり、同図において、フィルム状で光透過性の基材２１下面の所定箇所に、凹凸状の複数の発光部２２が形成されていることは、実施の形態１や２の場合と同様である。
【００８１】
そして、これらの発光部２２の間には、例えば、発光部２２Ａと２２Ｂ、２２Ｃの間には、上下方向に貫通した略帯状で略コの字状の切欠部２１Ｃが、発光部２２Ｃと２２Ｄの間には略帯状で略Ｌ字状の切欠部２１Ｄが各々設けられると共に、この切欠部２１Ｃや２１Ｄには、カーボン等を分散したポリエステルやエポキシ等の暗色の光吸収部２３Ｅや２３Ｆが、切欠部２１Ｃや２１Ｄの端面や近傍上面を覆うように形成されて、導光シート２４Ｂが構成されている。
【００８２】
なお、ベースシート２５外周の所定箇所が、接着剤２６によって導光シート２４Ｂ下面に貼付されていることや、複数の可動接点５が発光部２２下方のベースシート２５下面に貼付されていることは実施の形態１や２の場合と同様であるが、切欠部２１Ｃや２１Ｄの下面近傍には接着層３２Ａが形成され、この接着層３２Ａによって切欠部２１Ｃや２１Ｄ近傍の基材２１下面が、ベースシート２５上面に貼付されている。
【００８３】
さらに、このベースシート２５下面にはセパレータ２７が、ベースシート２５下面全面を覆うように貼付され、保管・搬送時に可動接点５下面に塵埃等が付着しないようにして、可動接点体２８Ｂが構成されている。
【００８４】
なお、このような可動接点体２８を製作する際には、図１１（ａ）の断面図に示すように、先ず、フィルム状の基材２１下面に、印刷等によって凹凸状の複数の発光部２２、例えば発光部２２Ａや２２Ｂと、上下方向に貫通した切欠部２１Ｃを形成した後、これをベースシート２５上面に載置すると共に、接着層３２Ａによって切欠部２１Ｃや２１Ｄ近傍の基材２１下面を、ベースシート２５上面に貼付する。
【００８５】
また、この上方にポリエチレンテレフタレート等の表面にシリコーン等が塗布された、厚さ２０〜５０μｍ前後のフィルム状の剥離シート３３Ａ下面に、印刷等によって微接着力で形成された光吸収部２３Ｅを配置し、下方へ移動して、光吸収部２３Ｅで切欠部２１Ｃを覆うように載置する。
【００８６】
なお、この剥離シート３３Ａ下面の光吸収部２３Ｅは、厚さが１０〜５０μｍ前後に形成されると共に、切欠部２１Ｃの幅寸法に対し、例えば切欠部２１Ｃの０．２〜１ｍｍ前後の幅寸法よりも、左右方向に０．２ｍｍ前後ずつ大きな幅寸法に形成されている。
【００８７】
そして、この後、図１１（ｂ）に示すように、上方からポンチ３５によって１００〜１５０℃前後の温度で、１〜８秒前後加熱加圧して、図１１（ｃ）に示すように、切欠部２１Ｃ内に光吸収部２３Ｅと剥離シート３３Ａを押圧入し、最後に剥離シート３３Ａを剥離して、図１１（ｄ）に示すような、光吸収部２３Ｅが切欠部２１Ｃの端面や近傍上面を覆うように形成された、導光シート２４Ｂを製作する。
【００８８】
さらに、この導光シート２４Ｂのベースシート２５下面に、複数の可動接点５やセパレータ２７を重ねて貼付して、図９に示したような可動接点体２８Ｂが完成する。
【００８９】
また、図１２はこのような可動接点体２８Ｂを用いたスイッチの断面図であり、実施の形態１や２の場合と同様に、複数の配線パターンが形成された配線基板７上面に可動接点体２８Ｂが、各々の可動接点５の下面中央が中央固定接点８Ａと所定の間隙を空けて対向するように貼付されると共に、複数の発光素子９が導光シート２４Ｂ側方の配線基板７上面に実装され、表示シート１０の複数の表示部１０Ｂが導光シート２４Ｂの発光部２２上方に配置されて、スイッチが構成されている。
【００９０】
そして、このように構成されたスイッチが、携帯電話等の電子機器の操作面に装着されると共に、複数の中央固定接点８Ａや外側固定接点８Ｂ、複数の発光素子９が配線パターン等を介して、機器の電子回路（図示せず）に接続される。
【００９１】
以上の構成において、表示シート１０の所定の表示部１０Ｂを下方へ押圧操作または押圧力を解除すると、導光シート２４Ｂやベースシート２５が撓んで可動接点５の略ドーム状の中央部が押圧され、可動接点５が下方または上方へ弾性反転して、実施の形態１や２の場合と同様に、可動接点５を介した中央固定接点８Ａと外側固定接点８Ｂの電気的な接続または切断が行われ、これに応じて機器の各機能が切換えられる。
【００９２】
また、機器の電子回路から発光素子９に電源が供給されると、実施の形態１や２の場合と同様に、複数の発光素子９Ａや９Ｂが発光し、この光が端面から導光シート２４Ｂ内に入射して、基材２１内を反射しながら内方へ進み、複数の発光部２２Ａや２２Ｂ、２２Ｃ、２２Ｄ等で拡散され反射して、これらの上方の表示シート１０の表示部１０Ｂを下方から照光する。
【００９３】
そして、この時、例えば図１０において、発光素子９Ａの発光色が橙色、発光素子９Ｂの発光色が緑色であった場合にも、発光部２２Ａと２２Ｂの間には略コの字状の切欠部２１Ｃが、発光部２２Ｃと２２Ｄの間には略Ｌ字状の切欠部２１Ｄが各々設けられると共に、この切欠部２１Ｃや２１Ｄ内には暗色の光吸収部２３Ｅや２３Ｆが形成されているため、この橙色の光と緑色の光が導光シート２４Ｂ内で混合されることがないように構成されている。
【００９４】
また、例えば発光素子９Ａは消灯し、発光素子９Ｂのみが点灯している場合でも、発光素子９Ｂによって発光部２２Ｂと２２Ｄは発光するが、この光は光吸収部２３Ｅや２３Ｆで吸収され遮断されるため、この発光素子９Ｂの光によって、消灯している発光部２２Ａや２２Ｃが薄明るく発光することのないようになっている。
【００９５】
つまり、各々の発光部を発光させた発光素子９Ａや９Ｂの光は、これらの発光部の間に設けられた切欠部２１Ｃや２１Ｄの端面や近傍上面を覆う、暗色の光吸収部２３Ｅや２３Ｆによって吸収され、複数の発光部２２が混ざった発光色で照光されることや、消灯しているはずの発光部が照光されることのないようになっている。
【００９６】
このように本実施の形態によれば、複数の発光部２２の間に形成された略帯状の切欠部２１Ｃや２１Ｄに、暗色の光吸収部２３Ｅや２３Ｆを形成することによって、切欠部２１Ｃや２１Ｄに出射した光が、暗色の光吸収部２３Ｅや２３Ｆによって吸収され、他の発光部２２への光の混合や漏れを防ぐことができるため、見易く多様な照光が可能な導光シート２４Ｂ、及びこれを用いた可動接点体２８Ｂを得ることができるものである。
【００９７】
なお、以上の説明では、可動接点５上方の導光シート２４や２４Ａ、２４Ｂの基材２１下面に、印刷によって複数の発光部２２を形成した構成について説明したが、下面ではなく基材２１上面に発光部２２を形成した構成としても本発明の実施は可能であり、また、印刷以外にも貼付やレーザ加工、プレス加工、成形加工等、様々な方法によって発光部２２の形成は可能である。
【００９８】
さらに、以上の説明では、下面に複数の可動接点５が貼付されたベースシート２５を、導光シート２４や２４Ａ、２４Ｂの下面に貼付した構成について説明したが、ベースシート２５をなくし、導光シート２４や２４Ａ、２４Ｂの下面に複数の可動接点５を直接貼付した構成とすれば、全体の構成部品数を減らし、可動接点体２８や２８Ａ、２８Ｂをより簡易で安価なものとすることができる。
【産業上の利用可能性】
【００９９】
本発明による導光シート及びこれを用いた可動接点体は、光の混合や漏れを防ぎ、多様な照光が可能なものが得られ、主に各種電子機器の操作用として有用である。
【符号の説明】
【０１００】
５  可動接点
７  配線基板
８  固定接点
８Ａ  中央固定接点
８Ｂ  外側固定接点
９、９Ａ、９Ｂ  発光素子
１０  表示シート
１０Ａ  遮光部
１０Ｂ  表示部
２１  基材
２１Ａ、２１Ｂ  窪溝部
２１Ｃ、２１Ｄ  切欠部
２２、２２Ａ、２２Ｂ、２２Ｃ、２２Ｄ  発光部
２３Ａ、２３Ｂ、２３Ｃ、２３Ｄ、２３Ｅ、２３Ｆ  光吸収部
２４、２４Ａ、２４Ｂ  導光シート
２５  ベースシート
２６  接着剤
２７  セパレータ
２８、２８Ａ、２８Ｂ  可動接点体
３０、３４、３５  ポンチ
３２、３２Ａ  接着層
３３、３３Ａ  剥離シート
【図１】
2010153361.tif 000003
【図２】
2010153361.tif 000004
【図３】
2010153361.tif 000005
【図４】
2010153361.tif 000006
【図５】
2010153361.tif 000007
【図６】
2010153361.tif 000008
【図７】
2010153361.tif 000009
【図８】
2010153361.tif 000010
【図９】
2010153361.tif 000011
【図１０】
2010153361.tif 000012
【図１１】
2010153361.tif 000013
【図１２】
2010153361.tif 000014
【図１３】
2010153361.tif 000015
【図１４】
2010153361.tif 000016